(57)【要約】【課題】  ポンプ装置に供給される圧縮空気等の流体の圧力（流体の流動状態）の変化を検知することにより、ポンプ装置の稼動を停止させ、もって、ダイヤフラム等の部品の変形や破損に起因するポンプ装置の損傷を防止することができるポンプ装置用流体の圧力制御装置を得る。【解決手段】  スプールバルブ本体部２と、圧力制御バルブ３とを備え、スプールバルブ本体部２は、第１流体室４と、第２流体室５と、スプールバルブ６とを備え、第１流体室４は、第１流体室用流入口４ａと、ポンプ装置用供給口４ｂと、圧力制御バルブ用供給口４ｃとを有し、第２流体室５は、第２流体室用流入口５ａを有し、スプールバルブ６は、第１流体室４と第２流体室５の双方においてスライド移動可能に設けられている。【選択図】  図１
2007305019.tif 000002
【特許請求の範囲】
【請求項１】
ポンプ装置に流体を供給する流体供給源と、該ポンプ装置との間に設けられ、該流体供給源から該ポンプ装置に供給される流体の圧力を制御する、ポンプ装置用流体の圧力制御装置であって、
スプールバルブ本体部と、
バルブ用流入口及びバルブ用排出口を有する圧力制御バルブとを備え、
前記スプールバルブ本体部は、
第１流体室と、
第２流体室と、
スプールバルブとを備え、
前記第１流体室は、
前記流体供給源から供給された流体が流入される第１流体室用流入口と、
前記第１流体室流入口から前記第１流体室に流入された流体を前記ポンプ装置に供給するポンプ装置用供給口と、
前記圧力制御バルブの前記バルブ用流入口と連通した圧力制御バルブ用供給口とを有し、
前記第２流体室は、
前記圧力制御バルブの前記バルブ用排出口と連通した第２流体室用流入口を有し、
前記スプールバルブは、前記第１流体室と前記第２流体室の双方においてスライド移動可能に設けられており、
前記流体の圧力が予め決められた設定よりも低い圧力である場合には、前記圧力制御バルブは閉状態になっており、これによって、該流体は、前記第１流体室から前記第２流体室へ流れないようになっており、
一方、前記流体の圧力が予め決められた設定圧力を保っている場合には、前記圧力制御バルブは開状態になっており、これによって、該流体は、前記圧力制御バルブ用供給口を通して前記バルブ用流入口から流入され、前記バルブ用排出口から前記第２流体室用流入口を通して前記第２流体室に排出され、この流体の該第２流体室への排出によって、前記スプールバルブがスライド移動して前記ポンプ装置用供給口を閉じ、前記ポンプ装置への流体の供給が停止することを特徴とするポンプ装置用流体の圧力制御装置。
【請求項２】
前記圧力制御バルブは、三方バルブと調整バルブとから構成されていることを特徴とする請求項１に記載のポンプ装置用流体の圧力制御装置。
【請求項３】
前記スプールバルブは、その先端部が前記ポンプ装置用供給口内に伸びていることを特徴とする請求項１又は２に記載のポンプ装置用流体の圧力制御装置。
【請求項４】
前記スプールバルブには、該スプールバルブの前記先端部の前記ポンプ装置用供給口内への伸び寸法を調節する調節手段が設けられていることを特徴とする請求項３に記載のポンプ装置用流体の圧力制御装置。
【請求項５】
前記流体供給源は、圧縮空気源であることを特徴とする請求項１乃至４のうちのいずれか一つに記載のポンプ装置用流体の圧力制御装置。
【請求項６】
前記ポンプ装置は、ダイヤフラムを用いたポンプ装置であることを特徴とする請求項１乃至５のうちのいずれか一つに記載のポンプ装置用流体の圧力制御装置。
【発明の詳細な説明】
【技術分野】
【０００１】
本発明は、圧縮空気など流体を駆動源とする装置、例えばダイヤフラム等が使用されたポンプ又はレシプロポンプ等の種々のポンプ装置に適用可能なポンプ装置用流体の圧力制御装置に関するものである。
【背景技術】
【０００２】
従来において、ダイヤフラムなどを使用した種々のポンプ装置が知られている（例えば、特許文献１参照）。
【特許文献１】特開２００4−６０６３３号公報
【発明の開示】
【発明が解決しようとする課題】
【０００３】
上記特許文献１等の従来のポンプ装置には、ポンプ装置の稼動を停止させる停止手段が設けられている。この停止手段は、空打ちや地震などの振動を検知することにより、機械式あるいは電気的にポンプ装置の稼動を停止させている。
【０００４】
しかしながら、上述のような従来の停止手段では、ダイヤフラム等の部品の変形や破損を検知してポンプ装置の稼動を停止することはできず、そのため、ダイヤフラム等の部品の変形や破損に起因するポンプ装置の損傷を防止することができないという問題がある。ダイヤフラム等の部品の変形や破損がある場合、ポンプ装置に供給される圧縮空気等の流体の圧力（流体の流動状態）が変化する。従って、この圧力変化を検知することにより、ダイヤフラム等の部品の変形や破損を検知することができ、もって、ダイヤフラム等の部品の変形や破損に起因するポンプ装置の損傷を最小限に防止することができる。
【０００５】
本発明は、上述のような従来技術の問題点に鑑みてなされたものであり、ポンプ装置に供給される圧縮空気等の流体の圧力（流体の流動状態）の変化を検知することにより、ポンプ装置の稼動を停止させ、もって、ダイヤフラム等の部品の変形や破損に起因するポンプ装置の損傷を防止することができるポンプ装置用流体の圧力制御装置を提供することを目的とする。
【課題を解決するための手段】
【０００６】
本発明は、ポンプ装置に流体を供給する流体供給源と、該ポンプ装置との間に設けられ、該流体供給源から該ポンプ装置に供給される流体の圧力を制御する、ポンプ装置用流体の圧力制御装置であって、
スプールバルブ本体部と、
バルブ用流入口及びバルブ用排出口を有する圧力制御バルブとを備え、
前記スプールバルブ本体部は、
第１流体室と、
第２流体室と、
スプールバルブとを備え、
前記第１流体室は、
前記流体供給源から供給された流体が流入される第１流体室用流入口と、
前記第１流体室流入口から前記第１流体室に流入された流体を前記ポンプ装置に供給するポンプ装置用供給口と、
前記圧力制御バルブの前記バルブ用流入口と連通した圧力制御バルブ用供給口とを有し、
前記第２流体室は、
前記圧力制御バルブの前記バルブ用排出口と連通した第２流体室用流入口を有し、
前記スプールバルブは、前記第１流体室と前記第２流体室の双方においてスライド移動可能に設けられており、
前記流体の圧力が予め決められた設定よりも低い圧力である場合には、前記圧力制御バルブは閉状態になっており、これによって、該流体は、前記第１流体室から前記第２流体室へ流れないようになっており、
一方、前記流体の圧力が予め決められた設定圧力を保っている場合には、前記圧力制御バルブは開状態になっており、これによって、該流体は、前記圧力制御バルブ用供給口を通して前記バルブ用流入口から流入され、前記バルブ用排出口から前記第２流体室用流入口を通して前記第２流体室に排出され、この流体の該第２流体室への排出によって、前記スプールバルブがスライド移動して前記ポンプ装置用供給口を閉じ、前記ポンプ装置への流体の供給が停止することを特徴とするポンプ装置用流体の圧力制御装置を提供する。
【０００７】
また、前記圧力制御バルブは、三方バルブと調整バルブとから構成されることができる。また、前記スプールバルブは、その先端部が前記ポンプ装置用供給口内に伸びている方が好ましい。また、前記スプールバルブには、該スプールバルブの前記先端部の前記ポンプ装置用供給口内への伸び寸法を調節する調節手段が設けられている方が好ましい。また、前記流体供給源は、例えば、圧縮空気源にすることができる。さらに、前記ポンプ装置は、例えば、ダイヤフラムを用いたポンプ装置にすることができる。
【発明の効果】
【０００８】
本発明によれば、ポンプ装置に供給される圧縮空気等の流体の圧力（流体の流動状態）の変化を検知することにより、ポンプ装置の稼動を停止させ、もって、ダイヤフラム等の部品の変形や破損に起因するポンプ装置の損傷を防止することができる。
【発明を実施するための最良の形態】
【０００９】
以下、本発明にかかるポンプ装置用流体の圧力制御装置を実施するための最良の形態について図面を参照しながら述べる。図１には、上記ポンプ装置用流体の圧力制御装置の断面図を示している。本発明にかかるポンプ装置用流体の圧力制御装置は、ポンプ装置（図示せず）に流体を供給する流体供給源（図示せず）と、該ポンプ装置との間に設けられ、該流体供給源から該ポンプ装置に供給される流体の圧力を制御するためのものである。流体供給源は、例えば、圧縮空気をポンプ装置に供給する圧縮空気源にすることができ、一方、ポンプ装置は、例えば、ダイヤフラムを用いたポンプ装置にすることができるが、これらに限定されない。
【００１０】
図１に示すように、ポンプ装置用流体の圧力制御装置１は、スプールバルブ本体部２と、バルブ用流入口３ａ及びバルブ用排出口３ｂを有する圧力制御バルブ３とを備えている。以下、これらの構成についてより詳細に説明する。
【００１１】
スプールバルブ本体部２は、第１流体室４と、第２流体室５と、スプールバルブ６とを備えている。第１流体室４は、流体供給源（図示せず）から供給された流体（例えば、圧縮空気）が流入される第１流体室用流入口４ａと、第１流体室流入口４ａから第１流体室４に流入された流体をポンプ装置（図示せず）に供給するポンプ装置用供給口４ｂと、圧力制御バルブ３のバルブ用流入口３ａと連通した圧力制御バルブ用供給口４ｃとを有している。また、第２流体室５は、圧力制御バルブ３のバルブ用排出口３ｂと連通した第２流体室用流入口５ａを有している。
【００１２】
図示するように、スプールバルブ６は、第１流体室４と第２流体室５の双方においてスライド移動可能に設けられている。より詳細に述べると、第１流体室４と第２流体室５との間には、Ｏリング等のシール材７ａが一つ以上設けられた支持筒部７が設けられており、この支持筒部７によってスプールバルブ６はスライド移動可能に支持された状態で第１流体室４と第２流体室５の双方に介在している。また、支持筒部７のシール材７ａによって、支持筒部７を介する第１流体室４と第２流体室５間での流体の流れが防止されている。
【００１３】
スプールバルブ６は、その先端側が第１流体室４内に設けられ、後端側が第２流体室５内に設けられている。そして、スプールバルブ６の先端部６ａは、ポンプ装置用供給口４ｂ内に伸びている。先端部６ａの基端側には、Ｏリング等のシール材６ｂが設けられており、このシール材６ｂは、スプールバルブ６がポンプ装置用供給口４ｂ側にスライド移動したときに、ポンプ装置用供給口４ｂを密閉するためのものである。
【００１４】
スプールバルブ６の後端側には、調節手段としての調節ボルト８が設けられている。調節ボルト８は、第２流体室５に設けられた開口５ｂを介して、その先端側（スプールバルブ６に取り付けられていない側）が第２流体室５から外方に伸びている。従って、第２流体室５から外方に伸びた先端側を手で動かすことにより、スプールバルブ６の先端部６ａのポンプ装置用供給口４ｂ内への伸び寸法を調節することができ、もって、ポンプ装置用供給口４ｂを通過する流体の供給流量を調節することができる。また、この調節ボルト８を手で動かすことにより、スプールバルブ６を手動でスライド移動させることができる。
【００１５】
次に、圧力制御バルブ３は、例えば、三方バルブ９と、この三方バルブ９と連結された調整バルブ（ＲＥＧ）１０とで構成することができる。図１の圧力制御バルブ３は、三方バルブ９側にバルブ用流入口３ａが設けられ、調整バルブ１０側にバルブ用排出口３ｂが設けられている。この圧力制御バルブ３は、流体の圧力が予め決められた設定よりも低い圧力になった場合には閉状態になっており、逆に、流体の圧力が予め決められた設定圧力を保っている場合には開状態になっている。また、圧力制御バルブ３には、この開閉状態を手動で切り換えることができるスイッチ１１を設けることができる。
【００１６】
次に、上記実施の形態の動作について説明する。稼動中の流体の圧力が通常である場合、すなわち、稼動中の流体の圧力が予め決められた設定よりも低い圧力である場合には、圧力制御バルブ３は閉状態になっており、これによって、流体は、圧力制御バルブ３を介して第１流体室４から第２流体室５へ流れないようになっている。従って、第１流体室用流入口４ａを介して第１流体室４内に流入された流体供給源からの流体は、ポンプ装置用供給口４ｂを介してポンプ装置に供給される。
【００１７】
一方、例えば、ポンプ装置がダイヤフラムを用いたポンプ装置である場合、ダイヤフラムが変形あるいは破損した場合には、流体の圧力（流体の流動状態）が増加し、稼動中の流体の圧力が予め決められた設定圧力を維持することが出来なくなり、圧力低下となる。この稼動中の流体の圧力が予め決められた設定以下の圧力になった場合（異常稼動の場合）には、第１流体室用流入口４ａを介して第１流体室４内に流入された流体供給源からの流体の一部が、圧力制御バルブ用供給口４ｃを通してバルブ用流入口３ａから圧力制御バルブ３に流入され、調整バルブ１０により差圧設定された流体（例えば圧縮空気）がバルブ用排出口３ｂから第２流体室用流入口５ａを通して、第２流体室５に流入されている。この第２流体室５の圧力によって、スプールバルブ６を押圧してスライド移動させる。このスプールバルブ６のスライド移動によって、スプールバルブ６の先端部６ａがポンプ装置用供給口４ｂ内に更に進入し、シール材６ｂによってポンプ装置用供給口４ｂが閉じられ（密閉され）、これによって、流体供給源からポンプ装置への流体の供給が停止され、もって、ダイヤフラム等の部品の変形や破損に起因するポンプ装置の損傷を防止することができる。なお、停止後で再び通常稼動させる場合には、スイッチ１１により第２流体室５内の流体を排出すると、第１流体室４の圧力によりスプールバルブ６が押し戻され、流体供給源からの流体が流入口４ａからポンプ装置用供給口４ｂに流入し、通常稼動状態となる。
【図面の簡単な説明】
【００１８】
【図１】図１は、本発明にかかるポンプ装置用流体の圧力制御装置の実施の形態を示す断面図である。
【符号の説明】
【００１９】
１      ポンプ装置用流体の圧力制御装置
２      スプールバルブ本体部
３      圧力制御バルブ
３ａ    バルブ用流入口
３ｂ    バルブ用排出口
４      第１流体室
４ａ    第１流体室用流入口
４ｂ    ポンプ装置用供給口
４ｃ    圧力制御バルブ用供給口
５      第２流体室
５ａ    第２流体室用流入口
６      スプールバルブ
６ａ    先端部
６ｂ    シール材
７      支持筒部
７ａ    シール材
８      調節ボルト
９      三方バルブ
１０      調整バルブ（ＲＥＧ）
１１      スイッチ
【図１】
2007305019.tif 000003